(57)【要約】【課題】  変化に富んだ見栄えの良い光装飾を可能にするとともに、見る者の視覚に作用して、癒し、くつろぎ、または安らぎを与える光装飾が可能な装飾用パネルを提供する。【解決手段】  光入射側と反対の基材１１の裏面１１ａに、基材１１に入射された入射光１３の反射、干渉及び回折させ得る境面形状に加工することにより、装飾用パネル１０全体の反射光の輝度にランダムに変化する明暗を生じさせる多数の小反射部１２を任意の配列で形成する。小反射部１２は、三角屋根型の基本形状に１／ｆゆらぎを付与することにより三次元に造形された凹状境面１２ａから構成され、基材１１に対する入射光の方向、基材１１に対する視点及び基材の位置の少なくとも１つを相対的に変化することにより、各小反射部１２での反射光の輝度に不規則に変化する明暗を生じせる。【選択図】  図１
2008201103.tif 000002
【特許請求の範囲】
【請求項１】
透明材からなる板状の基材を有し、
前記基材の光入射側である表面及び該表面と反対の基材裏面の何れか一方の面に、前記基材に入射された入射光を反射、干渉及び回折させ得る境面形状に加工することにより、これら境面の反射輝度にランダムな明暗を生じさせる多数の小反射部を任意の配列で前記一方の面に沿い連続して形成し、
前記基材に対する入射光の方向、前記基材に対する視点及び前記入射光または前記視点に対する前記基材の位置の少なくとも１つを相対的に変化することにより、前記各小反射部で起こる光の反射、干渉及び回折により生じる反射光の輝度に不規則に変化する明暗を生じさせるとともに光波長のシフトによる色収差を生じさせるように構成したことを特徴とする装飾用パネル。
【請求項２】
前記多数の小反射部は、基本形状に１／ｆゆらぎを付与することにより造形された三次元形状の凹状境面から構成されることを特徴とする請求項１記載の装飾用パネル。
【請求項３】
前記小反射部の基本形状は、前記基材の一方の面に該面に沿い二次元方向に任意のピッチで連続してランダムに形成された三角型、台形型、半球型、半楕円球型、波型等の三次元形状を呈することを特徴とする請求項２記載の装飾用パネル。
【発明の詳細な説明】
【技術分野】
【０００１】
本発明は、車両用のプラスチック成形品や家具用のプラスチック成形品、または携帯電話用のプラスチック成形品などに使用される装飾用パネルに関するものである。
【背景技術】
【０００２】
従来の装飾用パネル、例えば自動車用装飾パネルとして、乗用車の後部端のリアコンビネーションランプ間に装着されるガーニッシュが知られている（特許文献１参照）。
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面を形成する。
【０００３】
このような装飾パネルにおいては、カバーを透過する光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００４】
しかし、このような従来の装飾パネルは、細かい凹凸模様を有するカバーと、このカバーと対向する表面に形成した凹球状の魚眼にシルバーメタリック塗料を塗布してなるメタリック塗膜面を有する取付基材とから構成されるものであるため、乗用車のガーニッシュなどには好適であるものの、家具用のプラスチック成形品や携帯電話用のプラスチック成形品などの装飾パネルには不向きである。なぜならば、装飾パネルはカバーと取付基材とを空間を介して対向配置される構造であるため、装飾パネル自体が厚くなって薄型化できないほか、装飾パネルの構成部品点数が多くなり、コスト高になるという問題がある。
また、従来の装飾パネルを構成する取付基材のメタリック塗膜面は凹球状の凹面鏡からなり、この凹面鏡でカバーの凹凸模様で散乱されて入射される光を集約された反射光、すなわち凹面鏡の大きさに応じた径のスポット光として反射するものであるため、このスポット状反射光の輝度はほとんど均一である。その結果、インストルメントパネルやドアートリムなどの自動車内装部品の装飾には変化が乏しく、かつ見栄えが低いという問題があった。
【０００５】
本発明は上記のような従来の問題を解決するためになされたもので、変化に富んだ見栄えの良い光装飾を可能にするとともに、見る者の視覚に作用し、癒し、くつろぎ、または安らぎを与える光装飾を可能にした装飾用パネルを提供することを目的とする。
【課題を解決するための手段】
【０００６】
上記の目的を達成するために本発明の装飾用パネルは、透明材からなる板状の基材を有し、前記基材の光入射側である表面及び該表面と反対の基材裏面の何れか一方の面に、前記基材に入射された入射光を反射、干渉及び回折させ得る境面形状に加工することにより、これら境面の反射輝度にランダムな明暗を生じさせる多数の小反射部を任意の配列で前記一方の面に沿い連続して形成し、前記基材に対する入射光の方向、前記基材に対する視点及び前記入射光または前記視点に対する前記基材の位置の少なくとも１つを相対的に変化することにより、前記各小反射部で起こる光の反射、干渉及び回折により生じる反射光の輝度に不規則に変化する明暗を生じさせるとともに光波長のシフトによる色収差を生じさせるように構成したことを特徴とする。
【０００７】
請求項２の発明は、請求項１記載の装飾用パネルにおいて、前記多数の小反射部は、基本形状に１／ｆゆらぎを付与することにより造形された三次元形状の凹状境面から構成されていることを特徴とする。
また、請求項３の発明は、請求項２記載の装飾用パネルにおいて、前記小反射部の基本形状は、前記基材の一方の面に該面に沿い連続してランダムに形成された三次元方向に任意の寸法で形成された三角型、台形型、半球型、半楕円球型、波型等の三次元形状を呈することを特徴とする。
【発明の効果】
【０００８】
本発明にかかる装飾用パネルによれば、基材に対する入射光の方向、前記基材に対する視点及び基材の位置の少なくとも１つを相対的に変化することにより、各小反射部で起こる光の反射、干渉及び回折により生じる反射光の輝度に不規則に変化する明暗が生じるとともに光波長のシフトによる色収差が生じ、これにより、小反射部で生成される反射光の輝度に木漏れ日に似た不規則に変化する明暗を生じせることができ、変化に富んだ見栄えの良い光装飾が可能になる。
しかも、本発明によれば、小反射部を、基本形状に１／ｆゆらぎを付与することにより造形された三次元形状の凹状境面から構成したので、木漏れ日に似た不規則に変化する反射光の輝度の明暗が見る者の視覚に作用することで、見る者に対して癒し、くつろぎ、または安らぎを与える光装飾効果を発揮できる。
【発明を実施するための最良の形態】
【０００９】
（第１の実施の形態）
次に、本発明にかかる装飾用パネルの第１の実施の形態について図１〜図３を参照して説明する。なお、本発明の装飾用パネルは、以下に説明する実施の形態に限定されるものではない。
図１は本発明の第１の実施の形態における装飾用パネルの説明用外観図、図２は図１の２−２線に沿う拡大断面図、図３は図１の３−３線に沿う拡大断面図である。
【００１０】
この第１の実施の形態に示す装飾用パネル１０は、図１に示すように、アクリルやポリカーボネートなどの透明な合成樹脂材またはガラス等の透明材からなる一定厚さの板状の基材１１を備え、この基材１１の光入射側である表面１１ａは平滑な面に形成され、この表面１１ａと反対の基材１１の裏面１１ｂには、基材１１に入射された入射光１３の反射（全反射，完全又は不完全拡散反射、透過拡散）、干渉及び回折させ得る境面形状に加工することにより、装飾用パネル１０全体の反射光の輝度にランダムに変化する明暗を生じさせる多数の小反射部１２が任意の配列で裏面１１ｂの全域に亘り連続して形成されている。
なお、装飾用パネル１０への入射光１３には、各種照明灯の光または太陽光等の自然光などが用いられる。
【００１１】
次に、小反射部１２で生成される反射光の輝度に不規則に変化する明暗を生じさせる場合の具体例について図１ないし図３を参照して説明する。
小反射部１２は、図１に示しているように、三角屋根型の基本形状を呈し、この基本形状に１／ｆゆらぎを付与することにより、図２及び図３に示すように、三角屋根型の三次元形状に造形された凹状境面１２ａから構成される。この凹状境面１２ａは、その光反射による輝度に木漏れ日に似たランダムに変化する明暗を生じさせるものであり、その形状は次式に示す１／ｆゆらぎ関数ｆ(ｘ)より決定される。
【００１２】
【数１】
2008201103.tif 000003
すなわち、１／ｆゆらぎ関数ｆ(ｘ)で決定される凹状境面１２ａは、周波数の違う複数のサイン曲線（２ｉｘ：周波数）に適当な係数２−ｉ（２−ｉ：振幅）をかけて加算した形状となる。これをグラフに表すと図４に示す曲線４１１のようになる。また、符号４１２は周波数の異なる複数のサイン曲線を示す。
なお、凹状境面１２ａは空気との境界面を構成する。
【００１３】
上記小反射部１２は、図１乃至図３に示すように、予め決めた一定の間隔Ｌ（０＜Ｌ＜１０ｍｍ）で、行、列方向に連続して配列され、そして、互いに隣接する各行の小反射部１２Ｃは列方向に１Ｌ分ずらして配列されている。
また、凹状境面１２ａの深さｈは、０≦ｈ≦２０ｍｍの範囲に設定される。また、凹状境面１２ａの反射角θ１は、その材質がポリカーボネートの場合、約４０度であり、凹状境面１２ａの傾斜角θ２は、０≦θ２≦９０°の範囲に設定される。
【００１４】
このような第１の実施の形態に示す装飾用パネル１０において、図１〜図３に示すように、基材１１の表面１１ａが入射光１３により照射されると、この入射光１３は屈折光となって基材１１内を進行し小反射部１２に達する。そして、小反射部１２に達した屈折光は１／ｆゆらぎ関数ｆ(ｘ)より決定された小反射部１２の形状に応じて反射、干渉及び回折され、これにより、基材１１の表面１１ａ側へ反射される反射光の輝度に不規則に変化する明暗パターンを生じさせるとともに光波長のシフトによる色収差を生じさせる。また、この場合、小反射部１２の反射で戻ってくる光の一部と基材１１の表面１１ａで反射された入射光１３の一部とが干渉することにより、ある色の光が強くなり、他の色の光が弱められルことで、白色光以外の色のついた光パターンを生成できる。
【００１５】
したがって、この第１の実施の形態によれば、基材１１に対する入射光１３の方向、基材１１の表面１１ａに対する見る者の視点１４及びこの視点１４に対する基材１１の位置の少なくとも１つを相対的に変化させれば、１／ｆゆらぎを付与した各小反射部１２で、木漏れ日に似た不規則に変化する反射輝度の明暗パターンを生成することができる。これにより、インストルメントパネルやドアートリムなどの自動車内装部品に本実施例の装飾用パネル１０を装着し、この装飾用パネル１０をその光入射側から見れば、自動車内装部品を変化に富んだ光装飾が可能になり、かつ見栄えの良い光装飾も可能になる。
また、１／ｆゆらぎを付与することにより三次元形状に造形された凹状境面１２ａで生成される反射光の輝度が不規則に変化することで、その輝度の明暗パターンが恰も木漏れ日のようになって見る者の視覚に作用し、これにより、見る者に対し癒し、くつろぎ、または安らぎを与える光装飾効果を発揮させることができる。
【００１６】
（第２の実施の形態）
次に、本発明にかかる装飾用パネルの第２の実施の形態について図５〜図７を参照して説明する。
図５は本発明の第２の実施の形態における装飾用パネルの説明用外観図、図６は図５の６−６線に沿う拡大断面図、図７は図５の７−７線に沿う拡大断面図である。
【００１７】
この第２の実施の形態に示す装飾用パネル２０は、図５に示すように、アクリルやポリカーボネートなどの透明な合成樹脂材またはガラス等の透明材からなる一定厚さの板状の基材２１を備え、この基材２１の光入射側である表面２１ａは平滑な面に形成され、この表面２１ａと反対の基材２１の裏面２１ｂには、基材２１に入射された入射光２３の反射（全反射，完全又は不完全拡散反射、透過拡散）、干渉及び回折させ得る境面形状に加工することにより、装飾用パネル２０全体の反射光の輝度にランダムに変化する明暗を生じさせる多数の小反射部２２が任意の配列で裏面２１ｂの全域に亘り連続して形成されている。
なお、装飾用パネル２０への入射光２３には、各種照明灯の光または太陽光等の自然光などが用いられる。
【００１８】
次に、小反射部２２で生成される反射光の輝度に不規則に変化する明暗を生じさせる場合の具体例について図５ないし図７を参照して説明する。
小反射部２２は、図５に示してあるように、台形屋根型の基本形状を呈し、この基本形状に１／ｆゆらぎを付与することにより、図６及び図７に示すように、台形屋根型の三次元形状に造形された凹状境面２２ａから構成される。この凹状境面２２ａは、その光反射による輝度に木漏れ日に似たランダムに変化する明暗を生じさせるものであり、その形状は次式に示す１／ｆゆらぎ関数ｆ(ｘ)より決定される。
すなわち、１／ｆゆらぎ関数ｆ(ｘ)で決定される凹状境面２２ａは、周波数の違う複数のサイン曲線（２ｉｘ：周波数）に適当な係数２−ｉ（２−ｉ：振幅）をかけて加算した形状となる。なお、凹状境面２２ａは空気との境界面を構成する。
【００１９】
上記小反射部２２は、図５乃至図７に示すように、予め決めた一定の間隔Ｌ（０＜Ｌ＜１０ｍｍ）で、行、列方向に連続して配列され、そして、互いに隣接する各行の小反射部２２Ｃは列方向に１Ｌ分ずらして配列されている。
また、凹状境面２２ａの深さｈは、０≦ｈ≦２０ｍｍの範囲に設定される。また、凹状境面２２ａの反射角θ１は、その材質がポリカーボネートの場合、約４０度であり、凹状境面２２ａの傾斜角θ２は、０≦θ２≦９０°の範囲に設定される。
【００２０】
このような第２の実施の形態に示す装飾用パネル２０において、図５〜図７に示すように、基材２１の表面２１ａが入射光２３により照射されると、この入射光２３は屈折光となって基材２１内を進行し小反射部２２に達する。そして、小反射部２２に達した屈折光は１／ｆゆらぎ関数ｆ(ｘ)より決定された小反射部２２の形状に応じて反射、干渉及び回折され、これにより、基材２１の表面２１ａ側へ反射される反射光の輝度に不規則に変化する明暗パターンを生じさせるとともに光波長のシフトによる色収差を生じさせる。また、この場合、小反射部２２の反射で戻ってくる光の一部と基材２１の表面２１ａで反射された入射光２３の一部とが干渉することにより、ある色の光が強くなり、他の色の光が弱められルことで、白色光以外の色のついた光パターンを生成できる。
【００２１】
したがって、この第２の実施の形態によれば、基材２１に対する入射光２３の方向、基材２１の表面２１ａに対する見る者の視点２４及びこの視点２４または入射光１３に対する基材２１の位置の少なくとも１つを相対的に変化させれば、１／ｆゆらぎを付与した各小反射部２２で、木漏れ日に似た不規則に変化する反射輝度の明暗パターンを生成することができる。これにより、インストルメントパネルやドアートリムなどの自動車内装部品に本実施例の装飾用パネル２０を装着し、この装飾用パネル２０をその光入射側から見れば、自動車内装部品を変化に富んだ光装飾が可能になり、かつ見栄えの良い光装飾も可能になる。
また、１／ｆゆらぎを付与することにより三次元形状に造形された凹状境面２２ａで生成される反射光の輝度が不規則に変化することで、その輝度の明暗パターンが恰も木漏れ日のようになって見る者の視覚に作用し、これにより、見る者に対し癒し、くつろぎ、または安らぎを与える光装飾効果を発揮させることができる。
【００２２】
（第３の実施の形態）
次に、本発明にかかる装飾用パネルの第３の実施の形態について図８〜図１０を参照して説明する。
図８は本発明の第３の実施の形態における装飾用パネルの説明用外観図、図９は図８の９−９線に沿う拡大断面図、図１０は図８の１０−１０線に沿う拡大断面図である。
【００２３】
この第３の実施の形態に示す装飾用パネル３０は、図８に示すように、アクリルやポリカーボネートなどの透明な合成樹脂材またはガラス等の透明材からなる一定厚さの板状の基材３１を備え、この基材３１の光入射側である表面３１ａは平滑な面に形成され、この表面３１ａと反対の基材３１の裏面３１ｂには、基材３１に入射された入射光３３の反射（全反射，完全又は不完全拡散反射、透過拡散）、干渉及び回折させ得る境面形状に加工することにより、装飾用パネル３０全体の反射光の輝度にランダムに変化する明暗を生じさせる多数の小反射部３２が任意の配列で裏面３１ｂの全域に亘り連続して形成されている。
なお、装飾用パネル３０への入射光３３には、各種照明灯の光または太陽光等の自然光などが用いられる。
【００２４】
次に、小反射部３２で生成される反射光の輝度に不規則に変化する明暗を生じさせる場合の具体例について図８ないし図１０を参照して説明する。
小反射部３２は、図８に示してあるように、半球屋根型の基本形状を呈し、この基本形状に１／ｆゆらぎを付与することにより、図９及び図１０に示すように、半球屋根型の三次元形状に造形された凹状境面３２ａから構成される。この凹状境面３２ａは、その光反射による輝度に木漏れ日に似たランダムに変化する明暗を生じさせるものであり、その形状は次式に示す１／ｆゆらぎ関数ｆ(ｘ)より決定される。
すなわち、１／ｆゆらぎ関数ｆ(ｘ)で決定される凹状境面３２ａは、周波数の違う複数のサイン曲線（２ｉｘ：周波数）に適当な係数２−ｉ（２−ｉ：振幅）をかけて加算した形状となる。なお、凹状境面３２ａは空気との境界面を構成する。
【００２５】
上記小反射部３２は、図８乃至図１０に示すように、予め決めた一定の間隔Ｌ（０＜Ｌ＜１０ｍｍ）で、行、列方向に連続して配列され、そして、互いに隣接する各行の小反射部３２Ｃは列方向に１Ｌ分ずらして配列されている。
また、凹状境面３２ａの深さｈは、０≦ｈ≦２０ｍｍの範囲に設定される。また、凹状境面３２ａの反射角θ１は、その材質がポリカーボネートの場合、約４０度であり、凹状境面３２ａの傾斜角θ２は、０≦θ２≦９０°の範囲に設定される。
【００２６】
このような第３の実施の形態に示す装飾用パネル３０において、図８〜図１０に示すように、基材３１の表面３１ａが入射光３３により照射されると、この入射光３３は屈折光となって基材３１内を進行し小反射部３２に達する。そして、小反射部３２に達した屈折光は１／ｆゆらぎ関数ｆ(ｘ)より決定された小反射部３２の形状に応じて反射、干渉及び回折され、これにより、基材３１の表面３１ａ側へ反射される反射光の輝度に不規則に変化する明暗パターンを生じさせるとともに光波長のシフトによる色収差を生じさせる。また、この場合、小反射部３２の反射で戻ってくる光の一部と基材３１の表面３１ａで反射された入射光３３の一部とが干渉することにより、ある色の光が強くなり、他の色の光が弱められルことで、白色光以外の色のついた光パターンを生成できる。
【００２７】
したがって、この第３の実施の形態によれば、基材３１に対する入射光３３の方向、基材３１の表面３１ａに対する見る者の視点３４及びこの視点３４または入射光３３に対する基材３１の位置の少なくとも１つを相対的に変化させれば、１／ｆゆらぎを付与した各小反射部３２で、木漏れ日に似た不規則に変化する反射輝度の明暗パターンを生成することができる。これにより、インストルメントパネルやドアートリムなどの自動車内装部品に本実施例の装飾用パネル３０を装着し、この装飾用パネル３０をその光入射側から見れば、自動車内装部品を変化に富んだ光装飾が可能になり、かつ見栄えの良い光装飾も可能になる。
【００２８】
また、１／ｆゆらぎを付与することにより三次元形状に造形された凹状境面３２ａで生成される反射光の輝度が不規則に変化することで、その輝度の明暗パターンが恰も木漏れ日のようになって見る者の視覚に作用し、これにより、見る者に対し癒し、くつろぎ、または安らぎを与える光装飾効果を発揮させることができる。
【００２９】
（第４の実施の形態）
次に、本発明にかかる装飾用パネルの第４の実施の形態について図１１〜図１３を参照して説明する。
図１１は本発明の第４の実施の形態における装飾用パネルの説明用外観図、図１２は図１１の１２−１２線に沿う拡大断面図、図１３は図１１の１３−１３線に沿う拡大断面図である。
【００３０】
この第４の実施の形態に示す装飾用パネル４０は、図１１に示すように、アクリルやポリカーボネートなどの透明な合成樹脂材またはガラス等の透明材からなる一定厚さの板状の基材４１を備え、この基材４１の光入射側である表面４１ａは平滑な面に形成され、この表面４１ａと反対の基材４１の裏面４１ｂには、基材４１に入射された入射光４３の反射（全反射，完全又は不完全拡散反射、透過拡散）、干渉及び回折させ得る境面形状に加工することにより、装飾用パネル４０全体の反射光の輝度にランダムに変化する明暗を生じさせる多数の小反射部４２が任意の配列で裏面４１ｂの全域に亘り連続して形成されている。
なお、装飾用パネル４０への入射光４３には、各種照明灯の光または太陽光等の自然光などが用いられる。
【００３１】
次に、小反射部４２で生成される反射光の輝度に不規則に変化する明暗を生じさせる場合の具体例について図１１乃至図１３を参照して説明する。
小反射部４２は、図１１に示すように、半楕円球屋根型の基本形状を呈し、この基本形状に１／ｆゆらぎを付与することにより、図１２及び図１３に示すように、半楕円球屋根型の三次元形状に造形された凹状境面４２ａから構成される。この凹状境面４２ａは、その光反射による輝度に木漏れ日に似たランダムに変化する明暗を生じさせるものであり、その形状は次式に示す１／ｆゆらぎ関数ｆ(ｘ)より決定される。
【００３２】
すなわち、１／ｆゆらぎ関数ｆ(ｘ)で決定される凹状境面４２ａは、周波数の違う複数のサイン曲線（２ｉｘ：周波数）に適当な係数２−ｉ（２−ｉ：振幅）をかけて加算した形状となる。なお、凹状境面４２ａは空気との境界面を構成する。
【００３３】
上記小反射部４２は、図１１乃至図１３に示すように、予め決めた一定の間隔Ｌ（０＜Ｌ＜１０ｍｍ）で、行、列方向に連続して配列され、そして、互いに隣接する各行の小反射部３２Ｃは列方向に１Ｌ分ずらして配列されている。
また、凹状境面３２ａの深さｈは、０≦ｈ≦２０ｍｍの範囲に設定される。また、凹状境面３２ａの反射角θ１は、その材質がポリカーボネートの場合、約４０度であり、凹状境面３２ａの傾斜角θ２は、０≦θ２≦９０°の範囲に設定される。
【００３４】
このような第４の実施の形態に示す装飾用パネル４０において、図１１〜図１３に示すように、基材４１の表面４１ａが入射光４３により照射されると、この入射光４３は屈折光となって基材４１内を進行し小反射部４２に達する。そして、小反射部４２に達した屈折光は１／ｆゆらぎ関数ｆ(ｘ)より決定された小反射部４２の形状に応じて反射、干渉及び回折され、これにより、基材４１の表面４１ａ側へ反射される反射光の輝度に不規則に変化する明暗パターンを生じさせるとともに光波長のシフトによる色収差を生じさせる。また、この場合、小反射部４２の反射で戻ってくる光の一部と基材４１の表面４１ａで反射された入射光４３の一部とが干渉することにより、ある色の光が強くなり、他の色の光が弱められルことで、白色光以外の色のついた光パターンを生成できる。
【００３５】
したがって、この第４の実施の形態によれば、基材４１に対する入射光４３の方向、基材４１の表面４１ａに対する見る者の視点４４及びこの視点４４または入射光４３に対する基材４１の位置の少なくとも１つを相対的に変化させれば、１／ｆゆらぎを付与した各小反射部４２で、木漏れ日に似た不規則に変化する反射輝度の明暗パターンを生成することができる。これにより、インストルメントパネルやドアートリムなどの自動車内装部品に本実施例の装飾用パネル４０を装着し、この装飾用パネル４０をその光入射側から見れば、自動車内装部品を変化に富んだ光装飾が可能になり、かつ見栄えの良い光装飾も可能になる。
【００３６】
また、１／ｆゆらぎを付与することにより三次元形状に造形された凹状境面４２ａで生成される反射光の輝度が不規則に変化することで、その輝度の明暗パターンが恰も木漏れ日のようになって見る者の視覚に作用し、これにより、見る者に対し癒し、くつろぎ、または安らぎを与える光装飾効果を発揮させることができる。
【００３７】
なお、本発明にかかる装飾用パネルの小反射部の基本形状は、上記実施の形態に示した三角屋根型、台形屋根型、半球屋根型、半楕円球屋根型のものに限らず、小反射部での反射光の輝度に不規則に変化する明暗を生じさせることができる形状のものであれば、どのような形状のものでも良い。
【００３８】
また、本発明にかかる装飾用パネルの小反射部を構成する三次元の凹状境面は、数２に示す１／ｆゆらぎ関数で決定される形状のものに限らず、乱数表を利用して凹状境面の形状を決定するようにすることもできる。
【００３９】
また、本発明にかかる装飾用パネルの小反射部は、上記実施の形態に示した基材の裏面に形成する方式のものに限らず、基板の光入射側の表面に形成することも可能である。また、基板の光入射側の表面は平滑な面である必要がなく、波状等に湾曲する曲面形状を有するであっても良い。
【図面の簡単な説明】
【００４０】
【図１】本発明の第１の実施の形態における装飾用パネルの説明用外観図である。
【図２】図１の２−２線に沿う拡大断面図である。
【図３】図１の３−３線に沿う拡大断面図である。
【図４】本発明の１／ｆゆらぎ関数で決定される凹状境面の形状特性を表した場合の一例を示すグラフである。
【図５】本発明の第２の実施の形態における装飾用パネルの説明用外観図である。
【図６】図５の６−６線に沿う拡大断面図である。
【図７】図５の７−７線に沿う拡大断面図である。
【図８】本発明の第３の実施の形態における装飾用パネルの説明用外観図である。
【図９】図８の９−９線に沿う拡大断面図である。
【図１０】図８の１０−１０線に沿う拡大断面図である。
【図１１】本発明の第４の実施の形態における装飾用パネルの説明用外観図である。
【図１２】図１１の１２−１２線に沿う拡大断面図である。
【図１３】図１１の１３−１３線に沿う拡大断面図である。
【符号の説明】
【００４１】
１０，２０，３０，４０    装飾用パネル
１１，２１，３１，４１    基材
１２，２２，３２，４２    小反射部
１２ａ、２２ａ，３２ａ，４２ａ    凹状境面
【図１】
2008201103.tif 000004
【図２】
2008201103.tif 000005
【図３】
2008201103.tif 000006
【図４】
2008201103.tif 000007
【図５】
2008201103.tif 000008
【図６】
2008201103.tif 000009
【図７】
2008201103.tif 000010
【図８】
2008201103.tif 000011
【図９】
2008201103.tif 000012
【図１０】
2008201103.tif 000013
【図１１】
2008201103.tif 000014
【図１２】
2008201103.tif 000015
【図１３】
2008201103.tif 000016